(57)【要約】【課題】大がかりな設備を必要とせず、簡単な作業で保温層を形成して保温性の優れた浴室ユニット用防水パンを提供することを目的とする。【解決手段】防水パン１の裏面側に突出して形成された格子状の補強リブ２の端部に、発泡プラスチックシート３が貼付されており、発泡プラスチックシート３の少なくとも片面にアルミ蒸着フイルム５が貼付されている。【選択図】      図１
2004238945.tif 000002
【特許請求の範囲】
【請求項１】
防水パンの裏面側に突出して形成された格子状の補強リブの端部に、発泡プラスチックシートが貼付されていることを特徴とする浴室ユニット用防水パン。
【請求項２】
発泡プラスチックシートの少なくとも片面にアルミ蒸着フイルムが貼付されていることを特徴とする請求項１記載の浴室ユニット用防水パン。
【請求項３】
発泡プラスチックシートが発泡ポリエチレンシートであることを特徴とする請求項１または２記載の浴室ユニット用防水パン。
【発明の詳細な説明】
【０００１】
【発明の属する技術分野】
本発明は、浴室ユニットに使用される防水パンの裏面側に発泡プラスチックシートが貼付された浴室ユニット用防水パンに関する。
【０００２】
【従来の技術】
従来、浴室ユニットに使用される防水パンは、図５に示すように防水パン１の裏面側にポリウレタンを吹付けて硬質ウレタンフォームの保温層５を形成したり、発泡スチロール等の保温材を取り付けたりして浴室の保温性能を向上させていた。
また、防水パンの裏面のリブにロックウールやグラスウール等の人造鉱物繊維保温材を用いることで保温性を向上させることが提案されている（例えば、特許文献１を参照。）。
【０００３】
【特許文献１】
特開２００１─２８５６０３号公報（図１及び図３）
【０００４】
【発明が解決しようとする課題】
しかしながら、上記従来の技術において、ポリウレタンを吹付けて硬質ウレタンの保温層を形成する方法では、吹付け設備に多大の費用がかかり、また設備を設置するのにスペースが必要である。更に、吹付ける作業は作業者によって品質にばらつきがあり、見栄えが悪くなるという問題もあった。
【０００５】
また、発泡スチロール等の保温材を取付ける方法では、防水パンの裏面には格子状のリブが形成されているため、貼付に多大の工数を必要とし、コストアップとなる。更に、床上を歩くときに床が撓み保温材と間で音鳴りが発生することがあった。
【０００６】
更にまた、特許文献１に記載されているロックウールやグラスウール等の保温材を取付ける方法では、スピンドルピンを防水パンの裏面に取付けて保温材にピンを貫通しキャップで固定しなければならないので、その作業に手間がかかる。また、防水パンの裏面に排水管が配設されるため、厚さ１０〜１００ｍｍの厚手の人造鉱物繊維保温材は使用することができない。そのため、薄手の人造鉱物繊維保温材を用いることも考えられるが保温性が確保できない。
【０００７】
本発明は、このような事情に鑑みて、大がかりな設備を必要とせず、簡単な作業で保温層を形成して保温性の優れた浴室ユニット用防水パンを提供することを目的としている。
【０００８】
【課題を解決するための手段】このような目的を達成するために、請求項１に記載の発明に係わる浴室ユニット用防水パン（以下、「請求項１の浴室ユニット用防水パン」と記す）は、防水パンの裏面側に突出して形成された格子状の補強リブの端部に、発泡プラスチックシートが貼付されていることを特徴とするものである。
【０００９】
請求項２に記載の発明に係わる浴室ユニット用防水パン（以下、「請求項２の浴室ユニット用防水パン」と記す）は、請求項１の浴室ユニット用防水パンにおいて、発泡プラスチックシートの少なくとも片面にアルミ蒸着フイルムが貼付されていることを特徴とするものである。
【００１０】
請求項３に記載の発明に係わる浴室ユニット用防水パン（以下、「請求項２の浴室ユニット用防水パン」と記す）は、請求項１または２の浴室ユニット用防水パンにおいて、発泡プラスチックシートが発泡ポリエチレンシートであることを特徴とするものである。
【００１１】
請求項１の浴室ユニット用防水パンにおいて、発泡プラスチックシートとしては、ポリエチレン、ポリプロピレン、ポリスチレン、ポリウレタン等の合成樹脂からなるシートが用いられるが、作業性、可撓性に優れたポリエチレン樹脂からなるものが好適である。これら発泡プラスチックシートは、防水パンの裏面側に配設される排水管に干渉することがなく、保温性能を確保できるということで、厚さ１〜１０ｍｍ、好ましくは２〜８ｍｍが好ましく、その熱伝導率としては、０．０４（Ｋｃａｌ／ｍｈ℃）以下であることが好ましい。
【００１２】
請求項２の浴室ユニット用防水パンにおいて、アルミ蒸着フイルムとしてはポリプロピレン、ポリエチレン、ポリエステル等のブラスチックフイルムにアルミを蒸着したもので、フイルム厚みは１０〜５０μｍ、好ましくは１５〜３０μｍのものが使用される。これらアルミ蒸着フイルムは上記発泡プラスチックシートの少なくとも片面に加熱して圧着するラミネート法により貼り合わされて使用される。
【００１３】
（作用）
請求項１の浴室ユニット用防水パンでは、防水パンの裏面側の格子状の補強リブの端部に、発泡プラスチックシートが貼付されているので、防水パン本体層と格子状の補強リブ内の空気層と発泡プラスチックシート層の三層構造の保温層となり、空気層の断熱効果と発泡プラスチックシート層の断熱効果の相乗効果により保温性が優れたものとなる。
【００１４】
請求項２の浴室ユニット用防水パンでは、発泡プラスチックシートの片面もしくは両面にアルミ蒸着フイルムを貼付けることによって、浴室ユニット内からの防水パンの裏側に熱反射させることによって保温性がさらに向上する。
【００１５】
請求項３の浴室ユニット用防水パンでは、発泡プラスチックシートが発泡ポリエチレンシートであると、材料コストが安価であるとともに、防水パンの補強リブの端部への貼付け作業が簡単に行うことができる。
【００１６】
【発明の実施の形態】
以下に、本発明の実施の形態をあらわす図面を参照しつつ詳しく説明する。
【００１７】
（実施例１）
図１は本発明における浴室ユニット用防水パンの実施例を説明する概略図である。
図１〜２において、防水パン１の裏面側に格子状の補強リブ２が突出して形成されている。この格子状の補強リブ２の端部に、発泡プラスチックシート３が接着剤４を介して貼付されている。
【００１８】
防水パン１はＦＲＰでプレス成形されており、床面を使用者が移動するときに撓むことがあるので、その裏面側に厚さ３〜４ｍｍの補強リブ２が高さ４０〜６０ｍｍで格子状に突出形成されている。
【００１９】
発泡プラスチックシート３としては、厚みが３．５ｍｍで、熱伝導率が０．０３５〜０．４０（Ｋｃａｌ／ｍｈ℃）の発泡ポリエチレンシートを使用した。
この発泡プラスチックシート３の一方の面にアクリル共重合樹脂を主成分とする粘着剤４が塗布されており、通常は、離型紙付きとなっいる。この離型紙を剥がして粘着剤の塗布された面を補強リブ２の先端に押圧することにより、発泡プラスチックシート３を補強リブ２に接着して貼付けることができるようになっている。
【００２０】
また、発泡プラスチックシート３の他方の面にアルミ蒸着フイルム５が貼付されている。このアルミ蒸着フイルム５は、ポリエステルフイルムの表面にアルミを蒸着して付着させたもので、厚みが２３μｍで発泡プラスチックシートの片面に加熱圧着により貼り合わされている。
【００２１】
この浴室ユニット用防水パンについて、ＪＩＳ  Ａ  １４２０「建築用構成材の断熱性測定方法─校正熱箱法及び保護熱箱法  付属書Ｂ（規定）小さな伝熱面積を持つ校正熱箱法」に従い、断熱性能の評価を行った。
【００２２】
上記の性能評価において、試験体１０として、図３に示すように、防水パン１の排水口１１付近の部分を９０３×９１０ｍｍに切断したもの用いた。この試験体１０を、図５に示すように、試験装置７の加熱箱７１の開口を塞ぐようにして取付けて、加熱ヒーター７２で加熱箱７１内を加熱して、試験体１０両側の空気温度θ１，θ２  を測定し、熱貫流率Ｋ（Ｗ／ｍ２・Ｋ）を次式に従って求めた。
Ｋ＝Ｑ／｛（θ１  −θ２  ）Ａ｝    ［Ｗ／ｍ２・Ｋ］
但し、式中の符号で、Ｑは試験体通過熱量、θ１  は加熱側空気平均温度、θ２  は冷却側空気平均温度、Ａは試験体伝熱面積を表す。
測定の結果、熱貫流率Ｋは２．１７（Ｗ／ｍ２・Ｋ）であった。
【００２３】
（比較例１）
図５に示すように、防水パン１の裏面側に発泡プラスチックシート３を貼付けないでポリウレタンを吹付け、格子状の補強リブ２の間に２５倍に発泡させけた厚み３０〜４０ｍｍの硬質ウレタンフォームの保温層６を形成した。
この浴室ユニット用防水パンの断熱性能の評価を実施例１と同様に行った。その結果、熱貫流率Ｋは２．１３（Ｗ／ｍ２・Ｋ）であり、実施例１と略同等の保温性を有するが、ポリウレタンの吹付けが手作業で吹付けるため作業者の熟練度によって品質のばらつきが大きく、また、作業には大型の設備が必要である。
【００２４】
（比較例２）
実施例１の浴室ユニット用防水パンにおいて、防水パン１の裏面側に発泡プラスチックシート３を貼付けなった。
この防水パンの断熱性能の評価を実施例１と同様に行った。その結果、熱貫流率Ｋは４．８８（Ｗ／ｍ２・Ｋ）であり、防水パン１の裏面側に発泡プラスチックシート３を貼付けたものと比較して保温性は遙に劣っている。
【００２５】
以上、本発明の実施の形態を図面により詳述してきたが、具体的な形態はこの実施の形態に限られものではなく、本発明の要旨を逸脱しない範囲における設計の変更等があっても本発明に含まれる。
【００２６】
例えば、発泡プラスチックシート３の一方の面に粘着剤が塗布され、他方の面にアルミ蒸着フイルム５が貼り合わされた複合シートを補強リブ２の貼付に用いたが、補強リブ２に接着剤を塗布してから発泡プラスチックシート３のみを貼付けてもよい。
【００２７】
【発明の効果】
上述の通り、請求項１の浴室ユニット用防水パンにおいて、防水パンの裏面側の格子状の補強リブの端部に、発泡プラスチックシートが貼付されているので、大がかりな設備を必要とせずに、簡単な作業で発泡プラスチックシートを取付けて防水パン本体層と格子状の補強リブ内の空気層と発泡プラスチックシート層の三層構造の保温層を形成することができ、空気層の断熱効果と発泡プラスチックシート層の断熱効果の相乗効果により浴室の保温性が優れたものとなる。
【００２８】
請求項２の浴室ユニット用防水パンにおいては、発泡プラスチックシートの片面もしくは両面にアルミ蒸着フイルムを貼付けることによって、防水パンの裏側に熱反射させることによって浴室の保温性がさらに向上する。
【００２９】
請求項３の浴室ユニット用防水パンにおいては、発泡プラスチックシートが発泡ポリエチレンシートであると、材料コストが安価であるとともに、防水パンの補強リブの端部への貼付け作業が簡単に行うことができる。
【図面の簡単な説明】
【図１】本発明の浴室ユニット用防水パンの実施例を説明する概略断面図である。
【図２】図１における保温構造の拡大断面図である。
【図３】浴室ユニット用防水パンにおいて断熱性能評価に用いる試験体の図で、同図（ａ）  は平面図、同図（ｂ）  はＡ−Ａ矢視断面図である。
【図４】同上試験体の断熱性能を測定する試験装置の概略図である。
【図５】浴室ユニット用防水パンの従来例を説明する概略断面図である。
【符号の説明】
１          防水パン
２          補強リブ
３          発泡プラスチックシート
４          接着剤
５          アルミ蒸着フイルム
１０        試験体
【図１】
2004238945.tif 000003
【図２】
2004238945.tif 000004
【図３】
2004238945.tif 000005
【図４】
2004238945.tif 000006
【図５】
2004238945.tif 000007